(57)【特許請求の範囲】
【請求項１】
本体ケース（１４）中に爪作動ロット（１）・爪押し出し筒スプリング受け（２）・爪押し出しコイルスプリング（３）・噛みつき回転爪（５）・爪押し出し筒ストッパー（６）を有した防犯装置を使用した噛みつき防犯方法であって、爪作動ロット（１）の先端を人体着衣に押しつけることで、先端に取り付けられた爪作動ロット（１）が中央に押し込まれ、この押し込まれる力によって、爪押し出し筒スプリング受け（２）が爪押し出し筒ストッパー（６ａｂ）を左右に開いて同ストッパーが外れ、同爪押し出し筒スプリング受け（２）が本体ケース（１４）の底面側へ移動しながら爪押し出しコイルスプリング（３）に圧力をかけ、同スプリング（３）の圧力により、さらに同じ爪押し出し筒スプリング受け（２）が、噛みつき回転爪（５ａｂｃｄ）を回転させながら衣服に食い込ませ、本装置が衣服に噛みつく状態で装着されることを特徴とした噛みつき防犯方法。
【請求項２】
爪作動ロット（１）を人体着衣に押しつけることで、音響発生スイッチ（８）が作動し、音響発生装置（１０）から強大な音響が発生する請求項１記載の噛みつき防犯方法。
【発明の詳細な説明】
【０００１】
【発明の属する技術分野】
本発明は、女性やお年寄り等への犯罪に対して、自己防衛のための道具であるとともに、犯人の逃亡を阻止する装置である。
【０００２】
【従来の技術】
現在使用されている防犯装置には、犯罪行為を受けたときに、周囲に助けを求める電子音響を発生する物、犯人に対して高電圧が発生する物、目つぶしスプレー、投げつけ用カラーボールなどがある。
しかしこれらの従来の技術は、音響装置及び高電圧が発生するものは、犯人が逃走することにより、効果は犯人には継続して及ばない。
また目つぶしスプレーは、犯人の目や顔に向かってスプレーするという条件を満たさないと効果が少なく、動転した中でこの行為を行うのは困難を極める。
また、カラーボールも犯人に命中させるという条件が必要であるとともに、何らかの塗料が犯人の着衣や身体に少々付いても、犯人にとって大きなダメージとはならない。
【０００３】
従ってこれらの状況の中で犯人は、その犯罪の目的が果たせなかった場合には、逃走し、さらに最悪の場合は、同日に引き続いて再び犯罪を起こす可能性があり、一時的な現場での解決は見ても、犯人を捕まえたり、その後の被害の拡大を防ぐなどの広い範囲での効果は無かった。
【０００４】
【発明が解決しようとする課題】
本装置は、被害者が気が動転している状況であっても簡単な操作で使用でき、しかも犯人逮捕への手掛かりを大きく残しながら逃走の防止をはかり、次の犯罪発生を未然に防ごうとしたものである。
【０００５】
【課題を解決するための手段】
上記課題を解決するために、本体ケース（１４）を握って手に持ち、その頭部である作動ロット（１）を、犯人の着衣に押し付けることで、爪作動ロット（１）が本体側（１４）へ押し込まれ、爪押し出し筒ストッパー（６ａｂ）が、左右に開き、爪押し出し筒スプリング受け（２）が外れ、爪押し出しコイルスプリング（３）の力を利用して、爪押し出し筒スプリング（２）を押し出して、噛み付き回転爪（５ａｂｃｄ）を外側から回り込みながら回転させて衣服に食い込ませ、同時に音響発生スイッチ（８）が入り、音響発生装置（１０）も作動させる。
この装置が稼働した状態を解除するためには、専用の鍵がないと解除及び停止できない。
【０００６】
【発明の使用例】
（イ）淋しい場所や、危険と感じた場所を歩行する時は、何時でも使用できるょう手に持ってで歩行する。万一犯人に襲われた時、即犯人の衣服に防犯装置を押し付けると、警報音が鳴る。犯人が音にひるんだすきに、噛み付きを確認し、犯人から離れ回りに救いを求める。（ロ）犯罪者に噛み付くと、本装置は簡単にはずれない。犯人が逃亡しても警報音響が鳴り響き逃亡位置の確認ができる。
（ハ）深夜の一人暮らしの寝室ベットなどに、噛み付き防犯装置にワイヤーロープを取り付け、ロープの片方を頑丈な場所に固定し、襲われた時に本装置を使用し、犯人の逃亡を阻止した上で警察への通報が可能となる。
【０００７】
【作用】
（イ）犯罪をおこした犯人を特定する技術
本装置は、装置本体を通常は被害者が持っていて、犯罪を受けた時に被害者が自己防衛のために使用するものであるが、装置を使用した瞬間から装置の保持者が犯人側へ移ることにより、図４の（ハ）にさすように、犯人を特定できる技術である。すなわち、装置を犯人の体に押しつけると言う単純な行為だけで、鋼鉄などの金属を使用した半円形の回転爪を、コイルバネの力を利用し、回転爪を回転させながら爪先を押し出し、犯人の着衣に食い込ませることで、装置が犯人の衣服へ付いたままになることで、犯罪者である犯人を特定することができる。
同時に、音響発生装置のスイッチが入り強大な音響を発生させ、この強大な音響もまた、犯人を特定する物である。強大な音響は、電池が消耗するまでの数十分は鳴り響き、犯人特定が可能な時間も、現場限りではなく逃走経路中も可能である。
【０００８】
（ロ）犯罪を起こした犯人の逃亡を阻止する技術
装置が、強大な音響を数十分間の間、発生しながら犯人に付いたままであることで、犯人の特定をし、犯人の逃走経路や位置確認を行うことで、逃亡を阻止することができる技術でもある。
同時に装置に他の物に固定して容易に外れない道具を付けた鋼鉄製のワイヤーロープなどを取り付けておき、装置を作動させた後、ロープを、標識やなんらかのポールにかけて固定することで、犯人逃亡を阻止する上に、取り押さえや被害者への反撃阻止も可能となる。
【０００９】
【発明の効果】
（イ）考案の防犯装置は、犯罪者の検挙率を高めることを第一目的とした物である。また女性やお年寄りなど腕力の弱い人の一人歩きや一人住まいの人が携帯装備することで、犯罪抑止にも効果があることも期待して考案した物である。
まず外出時には携帯装備することで、万一襲われた場合には、本装置を犯人の着衣に押しつけるだけで、犯人の着衣に噛み付き強大な音響を発し、救いを求めることが出来る。また一人暮らしなどの場合、装置を身近なところに置いておき、装置にはワイヤーロープなどを付けて片側を室内のどこかに固定しておけば、犯罪者の逃亡を阻止することもできる。
【００１０】
我が国は世界一安全な国と言われてきたが、２１世紀は犯罪多発の時代と言われていると同時に、高齢化や未婚者が増える中、お年寄りや女性の一人暮らしも急増している。
このような背景では、自分の身は自分で守ることを考え、安全対策に配慮する事が重要となってくるが、今までの防犯技術は、防犯カメラの設置や音響だけの防犯装置などが主であった。
防犯カメラは犯人の特徴を視覚的に捉えることを主とした目的であり、音響だけの防犯装置は、犯人が音にひるんだ隙に被害者が逃げ出すか周囲に救いを求めるという状況であり、どちらも犯人を追い払うなど、その時その現場においてだけの解決をはかるものであった。このような場合、逃走した犯人の特定を行い逮捕するには非常に大きな労力と時間を要することになる。
【００１１】
本技術の装置は、犯人を長時間特定できることに加えて、装置自体を解除または取り外すためには専用の鍵が必要であるから、万が一はずすとしても犯人は着衣を脱ぎ捨てるかその部分を破くかしなくてはならない。
そのため、犯人はズボンをはかずに逃走していたり、着衣が破れたまま逃走していたり、何らかの新しい手掛かりが必ず発生する。
さらに万一取り外せたとしても装置の音響はなりやまないので、装置をどこかに放棄すると考えられるが、その場合には装置に指紋が残るなど、やはり何らかの手掛かりを期待できる可能性が大きい。
先に一人暮らしのお年寄りや女性を装置の使用効果の対象としたが、例えばコンビニのレジまわりや銀行、宝石店などにも常備し、ワイヤーロープを装置に付けて店内のどこかに固定して常備しておけば、防犯と共に犯人逮捕にもつながることになる。
【００１２】
（ロ）本装置の性能をそのままにし、超小型化し回転爪の素材を工夫し鋭利にしないことで、混雑する電車内での痴漢の予防や痴漢行為を阻止することもできる。特に痴漢行為は現行犯でないと取り押さえが困難である。
痴漢犯人の行為に対して、その行為中に手に装置を押しつけることで爪が手の皮膚に噛み付くと同時に音響を発生し、細い丈夫な糸状のロープを取り付けておくことで犯人を特定し、しかも逮捕につなげることが可能となる。
【図面の簡単な説明】
【図１】本発明の待機状態を示す縦断側面図。
【図２】本発明の作動状態を示す縦断側面図。
【図３】本発明の斜視図
【図４】発明の使用状態図
【符号の説明】
１  爪作動ロット
２  爪押し出し筒スプリング受け
３  爪押し出しコイルスプリング
４  爪戻しスプリング
５  噛み付き回転爪
６  爪押し出し筒ストッパー
７  ストッパー戻しスプリング
８  音響発生スイッチ
９  音響発生用電池
１０  音響発生装置
１１  ロープ取り付け穴
１２  鍵穴
１３  作動停止鍵
１４  本体ケース
【図１】
0003543268.tif 000002
【図２】
0003543268.tif 000003
【図３】
0003543268.tif 000004
【図４】
0003543268.tif 000005